(57)【要約】【課題】  サブフレームが前後、或いは左右に移動したり、メインフレームから外れたりすることのない複式眼鏡を提供する。【解決手段】  サブフレームとを含んでなり、該メインフレームとサブフレームはそれぞれ中間にブリッジ部材を設けて左右のレンズ枠を連結するか、もしくは左右のレンズを連結し、メインフレームのブリッジ部材には永久磁石を内部空間に嵌着した少なくとも一つ以上の環状凹溝を形成するか、もしくはブリッジ部材と一体に成形した磁化材を設け、サブフレームのブリッジブリッジ部材が該メインフレームのブリッジ部材に対応する位置には環状の突起部を形成し、該突起部に囲まれる部材が磁化材によってなるか、もしくは永久磁石を嵌着する。【選択図】  図７
2005107479.tif 000002
【特許請求の範囲】
【請求項１】
メインフレームと、
サブフレームとを含んでなり、
該メインフレームとサブフレームはそれぞれ中間にブリッジ部材を設けて左右のレンズ枠を連結するか、もしくは左右のレンズを連結し、メインフレームのブリッジ部材には永久磁石を内部空間に嵌着した少なくとも一つ以上の環状凹溝を形成するか、もしくはブリッジ部材と一体に成形した磁化材を設け、サブフレームのブリッジ部材が該メインフレームのブリッジ部材に対応する位置には環状の突起部を形成し、該突起部に囲まれる部材が磁化材によってなるか、もしくは永久磁石を嵌着することを特徴とする複式枠眼鏡。
【請求項２】
前記環状凹溝と突起部は、１カ所に形成され、形状が四角形、もしくは四辺以上の多角形に形成することを特徴とする請求項１に記載の複式枠眼鏡。
【請求項３】
前記環状凹溝と突起部は２カ所に形成され、円柱を呈するように形成することを特徴とする請求項１に記載の複式枠眼鏡。
【請求項４】
前記環状凹溝は、メインフレームのブリッジ部材上面に設けられ、サブフレームのブリッジ部材の底面に対向するように設けられることを特徴とする請求項１に記載する複式枠眼鏡。
【請求項５】
前記永久磁石の端面はメインフレームのブリッジ部材、もしくはサブフレームのブリッジ部材上面や底面と平坦に形成して構成することを特徴とする請求項１に記載する複式枠眼鏡。
【請求項６】
前記環状凹溝はメインフレームのブリッジ部材の背面に形成してもよく、突起部はサブフレームのブリッジ部材の正面に対向するように形成されることを特徴とする請求項１に記載する複式枠眼鏡。
【請求項７】
前記永久磁石は端面がそれぞれメインフレームのブリッジ部材、もしくはサブフレームのブリッジ部材の正面、もしくは背面と平坦になるように構成されることを特徴とする請求項１に記載する複式枠眼鏡。
【請求項８】
メインフレームと、
サブフレームとを含んでなり、
該メインフレームとサブフレームはそれぞれ中間にブリッジ部材を設けて左右のレンズ枠を連結するか、もしくは直接左右のレンズを連結し、
メインフレームのブリッジ部材には、永久磁石を内部空間に嵌着した少なくとも一以上の環状凹溝を形成するか、もしくはブリッジ部材と一体に成形した磁化材を設け、ブリッジ部材は磁化材により形成されるか、もしくは突起部に囲まれる部分が永久磁石を嵌着しているため、
サブフレームの突起部は磁力で該メインフレームの環状凹溝内部に吸着され、メインフレームとサブフレームが緊密に固定されることを特徴とする複式枠眼鏡。
【請求項９】
前記環状凹溝と突起部はそれぞれ１ヶ所に形成され、四角形か、もしくは四辺以上の多角形に形成してもよいことを特徴とする請求項８に記載の複式枠眼鏡。
【請求項１０】
前記環状凹溝と突起部はそれぞれ２ヶ所に形成し、円柱形を呈することを特徴とする請求項８に記載の複式枠眼鏡。
【発明の詳細な説明】
【技術分野】
【０００１】
この発明は眼鏡に関し、特にメインフレームとサブフレームとを磁力で吸着させて組み合わせる眼鏡に関する。
【背景技術】
【０００２】
複式枠の眼鏡において、従来の技術によるメインフレームとサブフレームの吸着方法と、その構造は、図１に開示するように、メインフレームとサブフレームのそれぞれに磁器を設けて互いに吸引させて連結させるものであるが、外部からの不当な力に対して予防するための構造は何ら具えられていない。
【０００３】
好ましくは、メインフレーム（１’）、サブフレーム（２’）のブリッジ部材（１１’）（２１’）（以下メインフレームのブリッジ部材はブリッジと称し、サブフレームでは支持ブリッジと称する）は外形が一致し、磁石（３’）が重なり合い、且つレンズ枠が重なり合うことである。
【０００４】
但し、従来の複式枠の眼鏡は、外部から力の作用を受けて眼鏡フレームが歪んだり、振動を受けたり、もしくは風力を受けたりした場合、サブフレーム（２’）は前後左右不定の方向に移動し、甚だしくはめくれあがり、メインフレーム（１’）から脱落する場合もある。この状態を図２、３、４に開示する。
【０００５】
また、他の手段として、メインフレーム（１’）とサブフレーム（２’）との間のブリッジ部材（１１’）（２１’）が下方に延伸し、一つ、もしくは二つの掛止部（４’）を形成して脱落を防ぐようにした構造が挙げられる。係る構造は、上述する従来の構造に比して掛止部材が増加されている。但し、やはり外部からの大きな力を防ぐことは難しい。特に比較的大きな風力を受けた場合、風力によってメインフレーム（１’）とサブフレーム（２’）のブリッジ部材間においてサブフレーム（２’）がメインフレーム（１’）からめくれあがるように離れる場合がある。その状態を図５、６に開示する。
【発明の開示】
【発明が解決しようとする課題】
【０００６】
この発明は、サブフレームが前後、或いは左右に移動したり、メインフレームから外れたりすることのない複式眼鏡を提供することを課題とする。
【課題を解決するための手段】
【０００７】
そこで本発明者は、従来の技術に鑑み鋭意研究を重ねた結果、メインフレームと、サブフレームとを含んでなり、該メインフレームとサブフレームはそれぞれ中間にブリッジ部材を設けて左右のレンズ枠を連結するか、もしくは左右のレンズを連結し、メインフレームのブリッジ部材には永久磁石を内部空間に嵌着した少なくとも一つ以上の環状凹溝を形成するか、もしくはブリッジ部材と一体に成形した磁化材を設け、サブフレームのブリッジ部材の該メインフレームのブリッジ部材に対応する位置には環状の突起部を形成し、該突起部に囲まれる部材が磁化材によってなるか、もしくは永久磁石を嵌着する構造と、その製造方法によって課題を解決できる点に着眼し、係る知見に基づき本発明を完成させた。
以下、この発明について具体的に説明する。
【０００８】
請求項１に記載する複式眼鏡は、メインフレームと、サブフレームとを含んでなり、該メインフレームとサブフレームはそれぞれ中間にブリッジ部材を設けて左右のレンズ枠を連結するか、もしくは左右のレンズを連結し、メインフレームのブリッジ部材には永久磁石を内部空間に嵌着した少なくとも一つ以上の環状凹溝を形成するか、もしくはブリッジ部材と一体に成形した磁化材を設け、サブフレームのブリッジ部材の該メインフレームのブリッジ部材に対応する位置には環状の突起部を形成し、該突起部に囲まれる部材が磁化材によってなるか、もしくは永久磁石を嵌着する。
【０００９】
請求項２に記載する複式眼鏡は、環状凹溝と突起部が、１カ所に形成され、形状が四角形、もしくは四辺以上の多角形に形成する。
【００１０】
請求項３に記載の複式眼鏡は、環状凹溝と突起部が２カ所に形成され、円柱を呈するように形成する。
【００１１】
請求項４に記載する複式眼鏡は、環状凹溝がメインフレームのブリッジ部材上面に設けられ、サブフレームのブリッジ部材の底面に対向するように設けられる。
【００１２】
請求項５に記載する複式眼鏡は、永久磁石の端面がメインフレームのブリッジ部材、もしくはサブフレームのブリッジ部材上面や底面と平坦に形成して構成する。
【００１３】
請求項６に記載する複式眼鏡は、環状凹溝がメインフレームのブリッジ部材の背面に形成してもよく、突起部はサブフレームのブリッジ部材の正面に対向するように形成される。
【００１４】
請求項７に記載する複式眼鏡は、永久磁石の端面がそれぞれメインフレームのブリッジ部材、もしくはサブフレームのブリッジ部材の正面、もしくは背面と平坦になるように構成される。
【００１５】
請求項８に記載する複式眼鏡は、メインフレームと、サブフレームとを含んでなり、該メインフレームとサブフレームはそれぞれ中間にブリッジ部材を設けて左右のレンズ枠を連結するか、もしくは直接左右のレンズを連結し、メインフレームのブリッジ部材には、永久磁石を内部空間に嵌着した少なくとも一以上の環状凹溝を形成するか、もしくはブリッジ部材と一体に成形した磁化材を設け、ブリッジ部材は磁化材により形成されるか、もしくは突起部に囲まれる部分が永久磁石を嵌着しているため、サブフレームの突起部は磁力で該メインフレームの環状凹溝内部に吸着され、メインフレームとサブフレームが緊密に固定される。
【００１６】
請求項９に記載する複式眼鏡は、環状凹溝と突起部がそれぞれ１ヶ所に形成され、四角形か、もしくは四辺以上の多角形に形成してもよい。
【００１７】
請求項１０に記載する複式眼鏡は、環状凹溝と突起部がそれぞれ２ヶ所に形成し、円柱形を呈する。
【発明の効果】
【００１８】
この発明の複式眼鏡は、メインフレームとサブフレームが緊密に固定され、安全であるとともに、外力により前後、もしくは左右に移動したり、サブフレームがメインフレームから外れることがないという効果を有する。
【発明を実施するための最良の形態】
【００１９】
この発明は、サブフレームが前後、或いは左右に移動したり、メインフレームから外れたりすることのない複式眼鏡を提供するものであって、メインフレームと、サブフレームとを含んでなり、該メインフレームとサブフレームはそれぞれ中間にブリッジ部材を設けて左右のレンズ枠を連結するか、もしくは左右のレンズを連結し、メインフレームのブリッジ部材には永久磁石を内部空間に嵌着した少なくとも一つ以上の環状凹溝を形成するか、もしくはブリッジ部材と一体に成形した磁化材を設け、サブフレームのブリッジ部材の該メインフレームのブリッジ部材に対応する位置には環状の突起部を形成し、該突起部に囲まれる部材が磁化材によってなるか、もしくは永久磁石を嵌着してなる。
係る複式眼鏡の構成と特徴を詳述するために具体的な実施例を挙げ、以下に説明する。
【実施例】
【００２０】
この発明による複式枠眼鏡のメインフレームとサブフレームの吸着方法及びその構造を図７から図１３に開示する。即ち、この発明はメインフレーム（１）とサブフレーム（２）を含んでなり、該メインフレーム（１）とサブフレーム（２）はそれぞれ中間にブリッジ部材（１１）（２１）を設けて左右のレンズ枠を連結するか、もしくは直接左右のレンズを連結する。
【００２１】
メインフレーム（１）のブリッジ部材（１１）には、永久磁石（３）を内部空間に嵌着した少なくとも一以上の環状凹溝（１３）を形成するか、もしくはブリッジ部材（１１）と一体に成形した磁化材を設ける。また、サブフレーム（２）のブリッジ部材（２１）の該メインフレーム（１）のブリッジ部材（１１）に対応する位置には環状の突起部（２３）を形成する。該突起部（２３）に囲まれる部分はブリッジ部材（２１）と一体に形成した磁化材とするか、或いは永久磁石（３）を嵌着する。サブフレーム（２）の突起部（２３）は磁力で該環状凹溝（１３）に吸着し、かつ該環状凹溝（１３）に嵌合する。よって、サブフレーム（２）とメインフレーム（１）を緊密に固定することができる。
【００２２】
この発明においては、図７に開示するように、メインフレーム（１）のブリッジ部材（１１）上に少なくとも１つ以上の環状凹溝（１３）を設け、該環状凹溝（１３）に囲まれる部分に永久磁石（３）を嵌着する。また、サブフレーム（２）のブリッジ部材（２１）は磁化材で作成し、該ブリッジ部材（２１）上のメインフレーム（１）の環状凹溝（１３）に対応する位置に突起部（２３）を形成してもよく、また図８に開示するように、メインフレーム（１）のブリッジ部材（１１）に少なくとも１つ以上の環状凹溝（１３）を形成し、メインフレーム（１）のブリッジ部材（１１）を磁化材で作成し、サブフレーム（２）のブリッジ部材（２１）の対応する位置に突起部（２３）を形成し、突起部（２３）によって囲まれる部分に永久磁石（２３）を嵌着してもよい。
【００２３】
図７、８に開示するように、環状凹溝（１３）と突起部（２３）の形状は、円形か、矩形か、もしくは四辺以上の多角形であってもよく、円柱状を呈する場合は２箇所に形成し、多角形の場合は１カ所に形成する。
【００２４】
図７、８から図１２に、環状凹溝（１３）を設けたメインフレーム（１）のブリッジ部材（１１）上面と、該環状凹溝（１３）に対応する突起部（２３）を底面に設けたサブフレーム（２１）との関係を開示する。永久磁石（３）の端面は平坦に形成され、かつメインフレーム（１）のブリッジ部材（１１）と、もしくはサブフレーム（１２）のブリッジ部材（２１）上面、及び底面と平行するように形成される。
【００２５】
環状凹溝（１３）は、メインフレーム（１）のブリッジ部材（１１）の背面に形成してもよい。この場合、突起部（２３）は、これに対応してサブフレーム（２）のブリッジ部材（２１）の正面に形成する。永久磁石（３）の端面は平坦に形成され、かつメインフレーム（１）のブリッジ部材（１１）と、もしくはサブフレーム（２）のブリッジ部材（２１）の正面、及び背面と平行するように形成される。
【００２６】
なお、図１４から図１６に、メインフレーム（１）のブリッジ部材（１１）と、サブフレーム（２）のブリッジ部材（２１）との嵌合の関係を開示する。また、図１７にこの発明による複式枠眼鏡の平面説明図を開示する。
【００２７】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００２８】
【図１】従来の複式枠眼鏡を示した上面図と正面図である。
【図２】図１に開示する複式眼鏡においてサブフレームの一方の位置がずれた状態を示した上面図と正面部である。
【図３】図１に開示する複式眼鏡においてサブフレームの他方の位置がずれた状態を示した上面図と正面部である。
【図４】図１に開示する複式眼鏡においてサブフレームの他方がめくれあがった状態を示した上面図と正面図である。
【図５】図１に開示する複式眼鏡においてサブフレームの他方に掛止部が設けられている状態を示した上面図と正面図である。
【図６】図１に開示する複式眼鏡においてサブフレームの他方がめくれあがった状態を示した上面図と正面図である。
【図７】この考案の複式眼鏡におけるブリッジ部材に環状凹溝を設けた状態を示した斜視図と正面図である。
【図８】図７に開示する複式眼鏡においてブリッジ部材に環状凹溝を設けた状態を示した斜視図と正面図である。
【図９】図７に開示する複式眼鏡においてサブフレームの接続構造を示した上面図と正面図である。
【図１０】図７に開示する複式眼鏡においてメインフレームとサブフレームの吸着構造を示した上面図と正面図である。
【図１１】図７に開示する複式眼鏡においてサブフレームがメインフレームに吸着する状態を示した上面図である。
【図１２】図７に開示する複式眼鏡においてサブフレームがメインフレームに吸着した状態を示した上面図と正面図である。
【図１３】図７に開示する複式眼鏡においてサブフレームの吸着構造のメインフレームがフレームなしの状態を示した上面図と正面図である。
【図１４】図７に開示する複式眼鏡においてメインフレームのブリッジ部材と、サブフレームのブリッジ部材との嵌合の関係を示した正面図である。
【図１５】図７に開示する複式眼鏡においてメインフレームのブリッジ部材と、サブフレームのブリッジ部材との嵌合の関係を示した正面図である。
【図１６】図７に開示する複式眼鏡においてメインフレームのブリッジ部材と、サブフレームのブリッジ部材との嵌合の関係を示した正面図である。
【図１７】図７に開示する複式眼鏡においてサブフレームの吸着構造をメインフレームから外した状態を示す上面図である。
【符号の説明】
【００２９】
１’  メインフレーム
１１’、２１’  ブリッジ部材
２’  サブフレーム
３’  磁石
４’  掛止部
１  メインフレーム
１１  ブリッジ部材
１２  サブフレーム
１３  環状凹溝
２  サブフレーム
２１  ブリッジ部材
２３  突起部
３  永久磁石
【図１】
2005107479.tif 000003
【図２】
2005107479.tif 000004
【図３】
2005107479.tif 000005
【図４】
2005107479.tif 000006
【図５】
2005107479.tif 000007
【図６】
2005107479.tif 000008
【図７】
2005107479.tif 000009
【図８】
2005107479.tif 000010
【図９】
2005107479.tif 000011
【図１０】
2005107479.tif 000012
【図１１】
2005107479.tif 000013
【図１２】
2005107479.tif 000014
【図１３】
2005107479.tif 000015
【図１４】
2005107479.tif 000016
【図１５】
2005107479.tif 000017
【図１６】
2005107479.tif 000018
【図１７】
2005107479.tif 000019